(57)【要約】【課題】本発明は、出来たての熱々グラタンをお客様にテイクアウトしていただき、自宅やオフィス、公園のベンチなどですぐにそのおいしさを失うことなく食べていただくことを目的とする。【解決手段】  四角い耐熱紙製容器（１）とその容器が丁度入る大きさの丸い耐熱紙製容器（２）、そしてその丸い紙製容器の裏底に新たに製作してはめ込んだ透明のポリプロピレン製底蓋（３）の組み合わせで、テイクアウトしてすぐに手に持って食べることができるようにする。具体的には、市販されている耐熱の四角い紙製容器（１）に、グラタン類を作って入れ、それをオーブンで焼いて熱々にしたものをオーブンより取り出し、透明のポリプロピレン製底蓋（３）を取り付けた耐熱の丸い紙製容器（２）の中に入れて、図にはないが透明のポリプロピレン製上蓋をかぶせ、ポリ袋等に入れてお客様に提供する。【選択図】図１
2015129015.tif 000002
【特許請求の範囲】
【請求項１】
耐熱処理された四角い紙製容器にグラタン類を入れてオーブンで熱々に温めたものを受け入れる容器として、オーブンから取り出してすぐにその前述のグラタンをその容器ごと入れる底蓋のはめ込んである丸い耐熱紙製容器。
【請求項２】
グラタン類を温める容器とそれを受け入れる容器は、それぞれが違う形であればその効果があらわれるので、最初に丸い紙製容器でその後が四角い底蓋付き紙製容器、最初が五角形の容器で受ける底蓋付き紙製容器が丸の組み合わせなど、普通に考えられる２種類の耐熱紙製容器の組み合わせによる底蓋付きの耐熱紙製容器のすべて。
【請求項３】
グラタン類以外の冷たい食品やデザート類をテイクアウトする容器としての請求項１と請求項２の容器。
【発明の詳細な説明】
【技術分野】
【０００１】  本発明は、お客様に出来たての熱々のグラタンをそのまま提供して、テイクアウトしてもらうことを可能にするものです。
【背景技術】
【０００２】  従来では熱々のグラタンのテイクアウトは不可能であり、予め調理して冷ましておいたグラタンをテイクアウトするお店しかなかった。
【発明の概要】
【発明が解決しようとする課題】
【０００３】  冬の寒い時期、熱々のグラタンを自宅や会社のデスク等で食べようと思っても、熱々の出来たてのグラタンを提供するお店はなかった。本発明は、そのような需要に答え、新しいビジネスモデルを構築するものです。
【課題を解決するための手段】
【０００４】  従来より使用されている耐熱ペーパーで作られた容器を組み合わせて、なお且つ、その組み合わせた一方のより大きな容器の底に透明のポリプロピレンの底蓋を取り付ける。グラタンを入れる容器は図１の四角いもの（１）で、（２）の丸い容器の中に収まる大きさのものとする。通常は丸い紙容器の底の直径が約１５ｃｍ位のものを使用する。そうすると四角い紙容器の底の一辺は約９．５ｃｍくらいである。図２の丸い紙容器の裏底に底蓋（３）をはめ込んでおいて、熱々の四角い出来たてグラタンをその中に入れ、図にはないが透明のポリプロピレンの上蓋をしてポリ袋等に入れ提供する。この場合、ポリ袋もグラタン容器が丁度入る位の大きさのものが必要である。
【発明の効果】
【０００５】（２）の丸い紙製容器と（３）の底蓋の間に約５ｍｍほどの空気の層が出来るので、お客様がポリ袋からすぐ取り出して食べても、手に持ってグラタンの熱さを感じることなく、安心して食べることが出来る。このことにより、自宅やオフィスだけでなく、テーブル等がない倉庫とか車内、公園のベンチなどでも手に持ったり、膝に載せたりしながら食べても全然熱くはなく、スムーズに食することができる。また、手に持って食べるときの手助けになるもう一つの理由が（１）の紙製容器と（２）の紙製容器の底が重なっていない部分図（７）が空きスペースになっているということである。この部分を手に持てば、グラタン類に触れることがない。【０００６】  また、（１）、（２）ともに紙製ではあるがポリエチレンテレフタラート（ＰＥＴ）加工してあるものを使用するので、すぐに食べることができなくて少し冷めてしまっても、電子レンジで暖め直すことができるので便利である。【０００７】  これらの二つの紙製容器の組み合わせは、最初にグラタンを入れて温める容器が丸いものでその後に入れる容器が四角い底蓋付きのものでも、最初のものが５角形でその後に入れるものが丸い底蓋付きものでも同じような効果は得られて、組み合わせとしてはいろいろ考えられるが、図１の組み合わせがもっとも多くて、実施しやすいと思う。【０００８】  なお本発明は、熱々のグラタンをあまり食べない夏期にはこの（７）のスペースにドライアイス等の保冷剤を入れて、（１）の容器にグラタン類の代わりに冷たいポテトサラダや野菜サラダ、あるい冷めたいシャーベット、アイスクリームとフルーツの盛り合わせ等のパフェ類と、いろいろな冷たい食べ物やデザート類をいれて提供することができる。この場合でも提供するときは、図にはないが透明のポリプロピレン製上蓋をかぶせて、ポリ袋等に入れて提供する。【０００９】  グラタン類でも冷たい食べ物でも、買っていただいて１５分以内には食べてもらえるようなことを想定しているので、熱々のグラタンやドリア、冷たいデザートやポテトサラダ等、自宅や会社のデスク、公園のベンチなどで気軽に食べることができる。
【図面の簡単な説明】
【００１０】
【図１】  本発明の平面図である。
【図２】  本発明の（Ａ）側面方向からの断面図である。
【発明を実施するための形態】
【００１１】  以下、本発明の実施の形態について、図面を参照しつつ詳細に説明すれば、図１は、本発明の実施例をあらわすもっとも一般的な耐熱紙製容器の組み合わせによる平面図を示す。四角い紙製容器（１）をそれが丁度入る大きさの丸い紙製容器（２）の中に入れ、丸い紙製容器の裏底には透明なポリプロピレン（ＰＰ）製の底蓋をはめ込んだものである。
【００１２】  （１）も（２）の紙製容器も市販されているものを使用するが、透明なＰＰ製の底蓋は、新たに製作する。丸い紙製容器の底は平らなテーブル等に置く場合、直接は裏底から延びる数ｍｍの立ち上がりがあるために触れることはない。その丸い紙製容器の裏底の立ち上がりの内側に沿って底蓋がそこにはまるように、図２の（４）のようにくぼませるように加工する。これはその円周すべてを加工してもよいが、４、５ヶ所だけで留まる場合はそれでもよい。そうすることで、底蓋と丸い紙製容器の裏底との間に約５ｍｍほどの幅の空気の層（５）ができるので、（１）の四角い紙製容器に入った熱々グラタン類の底に伝わる熱さを感じることなく、手に持つことができる。
また、（１）の熱々グラタン類を（２）の中に入れるときに、（２）の丸い紙製容器の真ん中（６）の辺りに両面テープを付けておいて、グラタン類が動かないように安定させたほうがよい。
【００１３】  グラタン類をあまり食べない暖かい時期には、（７）のスペースにドライアイス等の保冷剤を入れて、グラタンの代わりに（１）の四角い紙製容器に冷たいサラダやデザート等を入れて、（２）の丸い紙製容器に底蓋も同じように付けて、簡易的冷蔵のテイクアウト容器として活用できる。この場合グラタン類の熱々のときと同じような理由で、ドライアイス等の冷たさを手に感じることなく、手に持って冷たいデザート等を食べることができる。
【符号の説明】
【００１４】    １  四角い耐熱（ポリエチレンテレフタラート：ＰＥＴ）加工された紙製容器
２  丸い耐熱（ポリエチレンテレフタラート：ＰＥＴ）加工された紙製容器
３  透明のポリプロピレンの底蓋
４  （３）の底蓋のくぼみ
５  （２）の容器の裏底と（３）の底蓋との間の空気の層
６  両面テープ
７  （１）の容器と（２）の容器が重ならない空きスペース
【図１】
2015129015.tif 000003
【図２】
2015129015.tif 000004